(57)【要約】【課題】着色のバリエーションを増加させることができるＦＲＰ防水構造体の施工方法及びそのＦＲＰ防水構造体を提供する。【解決手段】下地１２表面にＦＲＰ防水層２２を形成する工程と、前記ＦＲＰ防水層２２上に中塗り層２６を形成する工程と、前記中塗り層２６上に透明の上塗り層３０を形成する工程とを備えるＦＲＰ防水構造体の施工方法において、前記中塗り層２６を形成後、当該中塗り層が表面硬化する前に表面に、異なる色のセラミックス粉末を複数種混合した混合物を有する装飾層２８を形成する工程と、前記中塗り層２６が表面硬化した後、前記中塗り層２６に定着していない前記混合物を除去する工程とを備えることを特徴とする。【選択図】図１
2013049980.tif 000002
【特許請求の範囲】
【請求項１】
下地表面にＦＲＰ防水層を形成する工程と、
前記ＦＲＰ防水層上に中塗り層を形成する工程と、
前記中塗り層上に透明の上塗り層を形成する工程と
を備えるＦＲＰ防水構造体の施工方法において、
前記中塗り層を形成後、当該中塗り層の表面が硬化する前に当該表面に、異なる色のセラミックスス粉末を複数種混合した混合物を有する装飾層を形成する工程を備えることを特徴とするＦＲＰ防水構造体の施工方法。
【請求項２】
前記ＦＲＰ防水層上に改修用プライマー層を形成する工程を備えることを特徴とする請求項１に記載のＦＲＰ防水構造体の施工方法。
【請求項３】
前記中塗り層を形成する工程は、
前記ＦＰＲ防水層上に第１の中塗り層を形成する工程と、
前記第１の中塗り層上に改修用プライマー層を形成する工程と、
前記改修用プライマー層上に選択的に装飾層を形成する工程と
を備えることを特徴とする請求項１に記載のＦＲＰ防水構造体の施工方法。
【請求項４】
前記装飾層を形成する工程は、
前記改修用プライマー層上の前記混合物を定着させない領域にマスク部を設ける工程と、
前記改修用プライマー層上に第２の中塗り層を形成する工程と
を有し、
前記第２の中塗り層上に前記装飾層を形成後、前記マスク部を取り除く工程を備えることを特徴とする請求項３に記載のＦＲＰ防水構造体の施工方法。
【請求項５】
下地表面に形成されるＦＲＰ防水層と、
前記ＦＲＰ防水層上に形成される中塗り層と、
前記中塗り層上に形成される透明の上塗り層と
を備えるＦＲＰ防水構造体において、
前記中塗り層と前記上塗り層との間に形成され、異なる色のセラミックス粉末を複数種混合した混合物を有する装飾層と
を備えることを特徴とするＦＲＰ防水構造体。
【請求項６】
前記ＦＲＰ防水層上に改修用プライマー層を備えることを特徴とする請求項５に記載のＦＲＰ防水構造体。
【請求項７】
前記中塗り層は、
前記ＦＲＰ防水層上に形成される第１の中塗り層と、
前記第１の中塗り層上に形成される改修用プライマー層と、
前記改修用プライマー層上に選択的に形成される第２の中塗り層と
を有し、
前記装飾層が前記第２の中塗り層の上にのみ形成されていることを特徴とする請求項６に記載のＦＲＰ防水構造体。
【発明の詳細な説明】
【技術分野】
【０００１】
本発明は、ＦＲＰ防水構造体の施工方法及びそのＦＲＰ防水構造体に関し、特に建物のベランダなどの防水に適用した場合に好適なものである。
【背景技術】
【０００２】
従来のＦＲＰ（Fiber Reinforced Plastic：繊維強化プラスチック）防水構造体は、下地としての合板やモルタル、コンクリート面の上に、不飽和ポリエステル樹脂とガラス繊維マットを一体化してなるＦＲＰ防水層と、当該ＦＲＰ防水層上に積層される上塗り層（トップコートともいう）とを備える。上塗り層には、適宜添加剤を含有させることができ、例えば、表面を着色する場合には、染料等の着色剤を含有させていた（例えば、特許文献１）。
【先行技術文献】
【特許文献】
【０００３】
【特許文献１】特開2001-342228号公報
【発明の概要】
【発明が解決しようとする課題】
【０００４】
しかしながら、上記特許文献１では、上塗り層に着色剤を含有させて着色していたので、得られるＦＲＰ防水構造体の表面は単一色に限られてしまうという問題があった。
【０００５】
そこで本発明は上記した問題点に鑑み、着色のバリエーションを増加させることができるＦＲＰ防水構造体の施工方法及びそのＦＲＰ防水構造体を提供することを目的とする。
【課題を解決するための手段】
【０００６】
本発明に係るＦＲＰ防水構造体の施工方法は、下地表面にＦＲＰ防水層を形成する工程と、前記ＦＲＰ防水層上に中塗り層を形成する工程と、前記中塗り層上に透明の上塗り層を形成する工程とを備えるＦＲＰ防水構造体の施工方法において、前記中塗り層を形成後、当該中塗り層の表面が硬化する前に当該表面に、異なる色のセラミックスス粉末を複数種混合した混合物を有する装飾層を形成する工程を備えることを特徴とする。
【０００７】
本発明の別の観点に係るＦＲＰ防水構造体の施工方法は、前記ＦＲＰ防水層上に改修用プライマー層を形成する工程を備えることを特徴とする。
【０００８】
本発明の別の観点に係るＦＲＰ防水構造体の施工方法は、前記中塗り層を形成する工程が、前記ＦＰＲ防水層上に第１の中塗り層を形成する工程と、前記第１の中塗り層上に改修用プライマー層を形成する工程と、前記改修用プライマー層上に選択的に装飾層を形成する工程とを備えることを特徴とする。
【０００９】
本発明の別の観点に係るＦＲＰ防水構造体の施工方法は、前記装飾層を形成する工程が、前記改修用プライマー層上の前記混合物を定着させない領域にマスク部を設ける工程と、前記改修用プライマー層上に第２の中塗り層を形成する工程とを有し、前記第２の中塗り層上に前記装飾層を形成後、前記マスク部を取り除く工程を備えることを特徴とする。
【００１０】
本発明に係るＦＲＰ防水構造体は、下地表面に形成されるＦＲＰ防水層と、前記ＦＲＰ防水層上に形成される中塗り層と、前記中塗り層上に形成される透明の上塗り層とを備えるＦＲＰ防水構造体において、前記中塗り層と前記上塗り層との間に形成され、異なる色のセラミックス粉末を複数種混合した混合物を有する装飾層とを備えることを特徴とする。
【００１１】
本発明の別の観点に係るＦＲＰ防水構造体は、前記ＦＲＰ防水層上に改修用プライマー層を備えることを特徴とする。
【００１２】
本発明の別の観点に係るＦＲＰ防水構造体は、前記中塗り層が、前記ＦＲＰ防水層上に形成される第１の中塗り層と、前記第１の中塗り層上に形成される改修用プライマー層と、前記改修用プライマー層上に選択的に形成される第２の中塗り層とを有し、前記装飾層が前記第２の中塗り層の上にのみ形成されていることを特徴とする。
【発明の効果】
【００１３】
本発明によれば、セラミックス粉末の混合物で構成された装飾層を有する構成としたことにより、混合物を構成するセラミックス粉末の色や混合比を適宜選択して、飛躍的に色のバリエーションを増加させることができる。
【図面の簡単な説明】
【００１４】
【図１】第１実施形態に係るＦＲＰ防水構造体の構成を示す縦断面図である。
【図２】第１実施形態に係るＦＲＰ防水構造体の施工方法（１）を段階的に示す縦断面図である。
【図３】第１実施形態に係るＦＲＰ防水構造体の施工方法（２）を段階的に示す縦断面図である。
【図４】第１実施形態に係るＦＲＰ防水構造体の施工方法（３）を段階的に示す縦断面図である。
【図５】第１実施形態に係るＦＲＰ防水構造体の施工方法（４）を段階的に示す縦断面図である。
【図６】第２実施形態に係るＦＲＰ防水構造体の構成を示す縦断面図である。
【図７】第２実施形態に係るＦＲＰ防水構造体の構成を示す平面図である。
【図８】第２実施形態に係るＦＲＰ防水構造体の施工方法（１）を段階的に示す縦断面図である。
【図９】第２実施形態に係るＦＲＰ防水構造体の施工方法（２）を段階的に示す縦断面図である。
【図１０】第２実施形態に係るＦＲＰ防水構造体の施工方法（３）を段階的に示す縦断面図である。
【図１１】第２実施形態に係るＦＲＰ防水構造体の施工方法（４）を段階的に示す縦断面図である。
【図１２】第２実施形態に係るＦＲＰ防水構造体の施工方法（５）を段階的に示す縦断面図である。
【図１３】第２実施形態に係るＦＲＰ防水構造体の施工方法（６）を段階的に示す縦断面図である。
【発明を実施するための形態】
【００１５】
以下、図面を参照して本発明の実施形態について詳細に説明する。
（１）第１実施形態
（全体構成）
【００１６】
まず、本発明に係る第１実施形態について説明する。図１に示すＦＲＰ防水構造体１０は、当該構造体１０を形成する建築物におけるコンクリートまたはコンクリート型枠用合板などの下地１２の上に、従来のＦＲＰ防水構造体と同様に、下塗りプライマー層１４、下塗り層１６、ＦＲＰ防水層２２が順に形成されている。本実施形態の場合、ＦＲＰ防水層２２は、第１のＦＲＰ層１８及び第２のＦＲＰ層２０を順に積層して構成されている。
【００１７】
下塗りプライマー層１４はＦＲＰ防水層２２と下地１２とをなじみよく密着させる目的で、下地１０表面に最初に塗布する液状の材料であり、例えば、ウレタンプライマーを使用する。下塗り層１６を形成する下塗り用樹脂には、例えば、防水用ポリエステル樹脂を使用する。防水用ポリエステル樹脂は、硬化剤を配合すると硬化する液状の樹脂である。硬化剤は、例えば有機過酸化物を用いる。第１のＦＲＰ防水層１８及び第２のＦＲＰ防水層２０は、ガラスマットをＦＲＰ樹脂に含浸させて形成される。ガラスマットはチョップドストランドマットの一種でＦＲＰ防水層の補強材として用いられる。ＦＲＰ樹脂には、例えば、上記防水用ポリエステル樹脂を使用することで、ガラスマットに含浸させることにより一体となり強固なＦＲＰ防水層を形成することができる。
【００１８】
そして、本実施形態に係るＦＲＰ防水構造体１０は、ＦＲＰ防水層２２の上に改修用プライマー層２４、中塗り層２６が形成されている。中塗り層２６を形成する中塗り用樹脂は、例えば防水層ポリエステル樹脂、またはビニルエステル樹脂を用いる。また、中塗り用樹脂は、トナーが添加されている。
【００１９】
本実施形態に係るＦＲＰ防水構造体１０は、前記中塗り層２６の上に装飾層２８が設けられている点が特徴的部分である。装飾層２８は、着色されたセラミックス粉末を数種類、混合した混合物で形成される。セラミックス粉末は、粒径５〜７μｍ程度のものを使用することができる。また、セラミックス粉末の混合物は、例えば、異なる色の粉末を３〜４種類混合して形成することができる。この装飾層２８は、混合物を構成するセラミックス粉末の色、混合比を適宜選択して所望の色を形成することができる。当該装飾層２８の上には、透明の上塗り層３０が形成されている。したがって、装飾層２８は、中塗り層２６と上塗り層３０の間に挟まれた構成となる。上塗り層３０を形成する上塗り用樹脂は、例えば不飽和ポリエステル樹脂を用いる。
【００２０】
本図において上塗り層３０は、表面が平滑となるように十分な厚さを有しているが、本発明はこれに限らず、装飾層２８を構成するセラミックス粉末の凹凸が上塗り層３０の表面に表出する程度の厚さを有することとしてもよい。
以上のように構成されたＦＲＰ防水構造体１０は、透明の上塗り層３０を透過して表面から装飾層２８が視認される。
（施工方法）
【００２１】
次に、上記のように構成されるＦＲＰ防水構造体１０の施工方法について説明する。まず、下地１２表面にプライマーを塗布して下塗りプライマー層１４を形成した後、下塗り用樹脂を塗布して下塗り層１６を形成する。次いで、当該下塗り層１６の上にガラスマット（図示せず）を敷設し、さらに、その上にＦＲＰ樹脂を塗布して第１のＦＲＰ層１８を形成する。同様に、第１のＦＲＰ層１８の上にガラスマット（図示せず）を敷設しその上にＦＲＰ樹脂を塗布して第２のＦＲＰ層２０を形成する。塗布されたＦＲＰ樹脂が硬化することにより、図２に示すように、第１のＦＲＰ層１８及び第２のＦＲＰ層２０が積層されたＦＲＰ防水層２２が形成される。
【００２２】
次いで、ＦＲＰ防水層２２の上に、改修用プライマーを塗布して改修用プライマー層２４を形成し（図３）、その上に中塗り用樹脂を塗布して中塗り層２６を形成する（図４）。中塗り層２６は、自然乾燥で通常３０分程度で硬化するが、本実施形態では通常に比べ硬化時間が長い方が好ましい。硬化時間は、中塗り用樹脂に添加される硬化剤の量で調節される。本実施形態の場合、中塗り用樹脂は、通常に比べ、１０〜３０分程度硬化時間が長くなるように調節される。
【００２３】
そして、中塗り層２６が表面硬化する前に、セラミックス粉末の混合物を中塗り層２６の表面に吹き付けて装飾層２８を形成する（図５）。セラミックス粉末の吹き付けは、エアガンを用い、圧縮空気の気圧は0.38〜0.88ＭＰａ、中塗り層２６の表面に対し３０度〜７５度の角度で吹き付けるのが、セラミックス粉末の混合物をより確実に中塗り層２６の表面に定着させる上で好ましい。吹き付けられたセラミックス粉末の混合物は、中塗り層２６の表面に衝突し、そのまま中塗り層２６の表面に定着する。このようにして、セラミックス粉末の混合物は、中塗り層２６の表面に敷き詰められ、中塗り層２６の表面硬化に伴って、当該中塗り層２６の表面に固定される。次いで、中塗り層２６表面に定着していないセラミックス粉末の混合物を除去する。最後に装飾層２８の表面に透明の仕上げ材を塗布して上塗り層３０が形成され、ＦＲＰ防水構造体１０が形成される（図１）。
（作用及び効果）
【００２４】
次に、上記のように構成されたＦＲＰ防水構造体１０の作用及び効果について説明する。本実施形態に係るＦＲＰ防水構造体１０は、セラミックス粉末の混合物で構成された装飾層２８を有する構成とした。これにより、混合物を構成するセラミックス粉末の色や混合比を適宜選択することにより、様々な色や風合いを有する表面を得ることができる。したがって、ＦＲＰ防水構造体１０は、上塗り層３０に着色剤を含有させて着色していた従来に比べ、飛躍的に色のバリエーションを増加させることができる。すなわち、ＦＲＰ防水構造体１０は、種々の色が混ざり合った複雑な色合いを有する装飾層２８を形成することにより、単一色にはない特徴的な表面を得ることができる。
【００２５】
本実施形態の場合、中塗り層２６の表面が硬化する時間を通常に比べ１０〜３０分程度長くするように構成した。これにより、ＦＲＰ防水構造体１０は、中塗り層２６表面に吹き付けられたセラミックス粉末の混合物をより確実に中塗り層２６表面に定着させることができる。したがって、ＦＲＰ防水構造体１０は、中塗り層２６表面にセラミックス粉末の混合物が均一に敷き詰められた装飾層２８を得ることができる。
【００２６】
本実施形態の場合、ＦＲＰ防水層２２の上に改修用プライマー層２４を形成した。これにより、ＦＲＰ防水構造体１０は、ＦＲＰ防水層２２と中塗り層２６の接着性をより向上することができる。
【００２７】
また、中塗り層２６は、トナーを添加した中塗り用樹脂により形成した。これにより、トナーでＦＲＰ防水層２２表面を被覆できるので、ＦＲＰ防水層２２表面の色がＦＲＰ防水構造体１０表面に影響しないようにすることができる。したがって、ＦＲＰ防水構造体１０は、装飾層２８を構成するセラミックス粉末の発色を向上することができる。
【００２８】
また、装飾層２８をセラミックス粉末で構成したので、ＦＲＰ防水構造体１０は、従来の構造体に比べ防火性能を向上させることができる。
（２）第２実施形態
（全体構成）
【００２９】
次に本発明に係る第２実施形態について説明する。本実施形態に係るＦＲＰ防水構造体は、装飾層が選択された部分のみに形成されている点が、上記第１実施形態と異なる。上記第１実施形態と同様の構成について同様の符号を付した図６に示すＦＲＰ防水構造体３２は、ＦＲＰ防水層２２の上に第１の中塗り層３４、改修用プライマー層３６が順に形成されている。さらに、改修用プライマー層３６の上には、第２の中塗り層３８が選択的に形成されており、当該第２の中塗り層３８の表面に装飾層４０が形成されている。このように選択的に形成された第２の中塗り層３８と装飾層４０、及び第２の中塗り層３８が形成されていない非選択部分４４の表面には、上塗り層４２が形成されている。
【００３０】
上記のように構成されたＦＲＰ防水構造体３２は、装飾層４０が形成された選択部分と、装飾層４０を形成しない非選択部分４４とを組み合わせることにより、図７に示すように例えばタイル風の模様を表面に形成することができる。この場合、装飾層４０を形成した部分がタイルを模した部分となり、非選択部分４４が目地を模した部分となる。
【００３１】
（施工方法）
次に上記のように構成した本実施形態に係るＦＲＰ防水構造体３２の施工方法について説明する。なお、下地１２にＦＲＰ防水層２２を形成するまでは上記第１実施形態と同様であるので、説明を省略する。本実施形態の場合、ＦＲＰ防水層２２の上に、中塗り用樹脂を塗布して第１の中塗り層３４を形成し（図８）、その上に改修用プライマーを塗布して改修用プライマー層３６を形成する（図９）。ここで中塗り用樹脂は、トナーが添加されている。
【００３２】
次いで、図１０に示すように、非選択部分４４にマスク部４６を設ける。実際上、マスク部４６は粘着テープを改修用プライマー層３６上に貼り付けて形成する。そしてマスク部４６を設けた改修用プライマー層３６の上に中塗り用樹脂を塗布して第２の中塗り層３８を形成する（図１１）。この第２の中塗り層３８にもトナーが添加されている。
【００３３】
次いで、第２の中塗り層３８が表面硬化する前に、セラミックス粉末の混合物を第２の中塗り層３８の表面に吹き付けて装飾層４０を形成する（図１２）。ここで、吹き付けられたセラミックス粉末の混合物は、マスク部４６には定着せず、第２の中塗り層３８表面にのみ定着する。そしてマスク部４６を取り除くとともに、第２の中塗り層３８に定着していないセラミックス粉末の混合物を除去する（図１３）。最後に装飾層４０の表面及び非選択部分４４として露出している改修用プライマー層３６の表面に透明の仕上げ材を塗布して上塗り層４２が形成され、ＦＲＰ防水構造体３２が形成される。
【００３４】
なお、本実施形態では、改修用プライマー層３６の上にのみ第２の中塗り層３８が形成され、マスク部４６には第２の中塗り層３８が形成されないものとして図１１に図示したが、本発明はこれに限らず、マスク部４６の上にも第２の中塗り層３８が形成されるものとしてもよい。マスク部４６の上にも第２の中塗り層３８が形成された場合、第２の中塗り層３８の下がマスク部４６であるか改修用プライマー層３６であるかに関わらず、第２の中塗り層３８の上に一様に装飾層４０が形成される。そしてマスク部４６を取り除くことにより、第２の中塗り層３８及び装飾層４０のうちマスク部４６上に形成された部分のみがマスク部４６とともに取り除かれ、装飾層４０が形成されない非選択部分４４が形成される。
【００３５】
（作用及び効果）
次に、上記のように構成されたＦＲＰ防水構造体３２の作用及び効果について説明する。本実施形態に係るＦＲＰ防水構造体３２は、装飾層４０を有することにより、上記第１実施形態と同様の効果を得ることができる。
【００３６】
また、本実施形態に係るＦＲＰ防水構造体３２は、マスク部４６を設けて装飾部４０を形成する選択部分と装飾部４０を設けない非選択部分４４を形成した。これにより、ＦＲＰ防水構造体３２は、装飾部４０を形成する選択部分と装飾部４０を設けない非選択部分４４により、表面に模様を形成することができる。
【００３７】
さらに、本実施形態に係るＦＲＰ防水構造体３２は、第１の中塗り層３４と第２の中塗り層３８を有し、非選択部分４４にも中塗り層を設ける構成とした。これにより、ＦＲＰ防水構造体３２は、ＦＲＰ防水層２２上に確実に中塗り層を設けることができるので、上記第１実施形態と同様の防水性を得ることができる。また、ＦＰＲ防水構造体３２は、ＦＲＰ防水層２２を厚く形成することにより、全体として強度を向上することができる。
また、ＦＲＰ防水構造体３２は、マスク部４６の形状を種々変更することにより、種々の模様、例えば水玉や花模様などを表面に形成することもできる。
【００３８】
（３）変形例
本発明は上記実施形態に限定されるものではなく、本発明の趣旨の範囲内で適宜変更することが可能である。例えば、上記実施形態ではＦＲＰ防水層２２は第１のＦＲＰ層１８及び第２のＦＲＰ層２０で構成される場合について説明したが、本発明はこれに限らず、ＦＲＰ防水層２２はガラスマットとＦＲＰ樹脂層からなる単一のＦＲＰ層で構成することとしてもよい。
【００３９】
また、上記第２実施形態では、マスク部４６を用いて装飾層４０を形成する選択部分と装飾を形成しない非選択部分４４とを形成する場合について説明したが、本発明はこれに限られない。例えば、改修用プライマー層３６の上に一様に第２の中塗り層３８を形成し、当該第２の中塗り層３８の上にセラミックス粉末の混合物を選択的に吹き付けて装飾層４０を形成することとしてもよい。
【符号の説明】
【００４０】
１０      ：ＦＲＰ防水構造体
１２      ：下地
１８      ：第１のＦＲＰ層
２０      ：第２のＦＲＰ層
２２      ：ＦＲＰ防水層
２４      ：改修用プライマー層
２６      ：中塗り層
２８      ：装飾層
３０      ：上塗り層
３２      ：ＦＲＰ防水構造体
３４      ：第１の中塗り層
３６      ：改修用プライマー層
３８      ：第２の中塗り層層
４０      ：装飾層
４２      ：上塗り層
４４      ：非選択部分
４６      ：マスク部
【図１】
2013049980.tif 000003
【図２】
2013049980.tif 000004
【図３】
2013049980.tif 000005
【図４】
2013049980.tif 000006
【図５】
2013049980.tif 000007
【図６】
2013049980.tif 000008
【図７】
2013049980.tif 000009
【図８】
2013049980.tif 000010
【図９】
2013049980.tif 000011
【図１０】
2013049980.tif 000012
【図１１】
2013049980.tif 000013
【図１２】
2013049980.tif 000014
【図１３】
2013049980.tif 000015